(57)【要約】【課題】塗布具用の金型を省くことができるので、塗布具を含めたコストを大きく削減することができる容器を提案する。【解決手段】本発明の容器は、上部開口１２を有しその内側に内容物の充填空間Ｍを備える容器本体１０と、上部開口１２を覆う天壁２１を有し容器本体１０に装着される中栓２０とを備え、天壁２１は、天壁本体２１ａと天壁本体２１ａに引きむしり可能に一体成形される天壁部分２１ｂとからなり、その引きむしりによって充填空間Ｍにつながる取り出し口２５を形成するとともに、むしり取った天壁部分２１ｂが充填空間Ｍ内の内容物を掬い取る塗布具になることを特徴とする。【選択図】図１
2014008261.tif 000002
【特許請求の範囲】
【請求項１】
上部開口を有しその内側に内容物の充填空間を備える容器本体と、該上部開口を覆う天壁を有し該容器本体に装着される中栓とを備える容器において、
前記天壁は、天壁本体と該天壁本体に引きむしり可能に一体成形される天壁部分とからなり、その引きむしりによって前記充填空間につながる取り出し口を形成するとともに、むしり取った天壁部分が充填空間内の内容物を掬い取る塗布具になることを特徴とする容器。
【請求項２】
前記天壁は、その表面壁及び裏面壁の少なくとも一方に、前記天壁本体と前記天壁部分とを区画する環状溝部を有する請求項１に記載の容器。
【請求項３】
前記天壁は、前記天壁本体と前記天壁部分との相互間にこれらをつなぐ少なくとも１つの連結片を備える請求項１に記載の容器。
【請求項４】
前記天壁は、前記天壁部分を、前記天壁本体とは異なる材料で形成するとともにインサート成形にて一体成形させてなる請求項１に記載の容器。
【請求項５】
前記天壁部分は、エラストマーである請求項４に記載の容器。
【発明の詳細な説明】
【技術分野】
【０００１】
本発明は、例えばクリーム状やゲル状の内容物を収容する容器に関するものであり、特に、内容物を掬い取って対象物へ塗布する塗布具を用いて好適な容器に関する。
【背景技術】
【０００２】
容器に収容した、例えば、クリーム状やゲル状の内容物（化粧料等）を取り出すにあたっては、指で直接掬い取る他、へら状の塗布具（スパチュラとも言う）を用いることがある。そして、このような塗布具を容器と一緒に保管することができれば、内容物を塗布したい時に直ぐに塗布具を使用することができて利便性が高まることから、本出願人は、容器の側方に塗布具を保持することができる容器の付属品保持具を既に提案している（例えば特許文献１参照）。
【先行技術文献】
【特許文献】
【０００３】
【特許文献１】特開２００４−３３１１０５号公報
【発明の概要】
【発明が解決しようとする課題】
【０００４】
ところで、このような塗布具は、安価で提供できるように合成樹脂材を用いることが多いものの、容器の各種構成部品を成型する金型とは別の、塗布具用の金型が必要となることから、コストの削減にも限界があった。
【０００５】
本発明は、このような問題点を解決することを課題とするものであり、その目的は、容器に係る構成部品の金型を利用して塗布具を形成することで、これまで必要であった塗布具の金型を省くことが可能となり、塗布具を含めたコストを大きく削減することができる、新たな容器を提案するところにある。
【課題を解決するための手段】
【０００６】
本発明は、上部開口を有しその内側に内容物の充填空間を備える容器本体と、該上部開口を覆う天壁を有し該容器本体に装着される中栓とを備える容器において、
前記天壁は、天壁本体と該天壁本体に引きむしり可能に一体成形される天壁部分とからなり、その引きむしりによって前記充填空間につながる取り出し口を形成するとともに、むしり取った天壁部分が充填空間内の内容物を掬い取る塗布具になることを特徴とする容器である。
【０００７】
前記天壁は、その表面壁及び裏面壁の少なくとも一方に、前記天壁本体と前記天壁部分とを区画する環状溝部を有することが好ましい。
【０００８】
前記天壁は、前記天壁本体と前記天壁部分との相互間にこれらをつなぐ少なくとも１つの連結片を備えることが好ましい。
【０００９】
前記天壁は、前記天壁部分を、前記天壁本体とは異なる材料で形成するとともにインサート成形にて一体成形することが好ましい。
【００１０】
前記天壁部分は、エラストマーであることが好ましい。
【発明の効果】
【００１１】
天壁を、天壁本体と、天壁本体に引きむしり可能に一体成形される天壁部分とで構成し、引きむしりによって内容物の充填空間につながる取り出し口を形成するとともに、むしり取った天壁部分が充填空間内の内容物を掬い取る塗布具になるように構成することで、塗布具用の金型が不要となり、コストを削減することができる。
【００１２】
天壁部分を引きむしり可能に設けるにあたっては、天壁の表面壁及び裏面壁の少なくとも一方に、天壁本体と前記天壁部分とを区画する環状溝部を設けても、また、天壁本体と天壁部分との相互間にこれらをつなぐ少なくとも１つの連結片を設けても、さらに、天壁部分を、天壁本体とは異なる材料で形成するとともにインサート成形にて一体成形させてもよく、所期する塗布具の形態やこれらを成型する金型構造に応じて、種々の構成を選択できる。
【００１３】
また、天壁部分を、エラストマーで形成する場合は、塗布具に高い弾性を持たせることができるので、掬い取った内容物を直接肌に塗布する際に肌あたりがよくなる。
【図面の簡単な説明】
【００１４】
【図１】本発明に従う容器の実施形態を示す斜視図（蓋体を二点鎖線で示す）である。
【図２】図１に示す容器につき、（ａ）は平面図（蓋体は取り外して示す）であり、（ｂ）は軸線を境として側面図及び断面図を示す図である。
【図３】図１に示す容器の天壁部分を引きむしって形成される取り出し口を示すとともに、塗布具としての天壁部分を、天壁上に載置した状態を示す図である。
【図４】本発明に従う容器の他の実施形態を示す平面図（蓋体は取り外して示す）である。
【図５】本発明に従う容器のさらに他の実施形態を示す平面図（蓋体は取り外して示す）である。
【発明を実施するための形態】
【００１５】
以下、図面を参照して、本発明をより具体的に説明する。
図１は、本発明に従う容器の実施形態を示す斜視図（蓋体を二点鎖線で示す）であって、図２は、図１に示す容器につき、（ａ）は平面図（蓋体は取り外して示す）であり、（ｂ）は軸線を境として側面図及び断面図を示す図であり、図３は、図１に示す容器の天壁部分を引きむしって形成される取り出し口を示すとともに、塗布具としての天壁部分を、天壁上に載置した状態を示す図である。
【００１６】
図１において符号１は、本発明に従う容器である。本実施形態において容器１は、容器本体１０と、容器本体１０に装着される中栓２０と、中栓２０に覆い被さり容器本体１０に着脱自在に保持される蓋体３０とを備えている。
【００１７】
容器本体１０は、図２（ｂ）に示すように、本実施形態では円板状となる底壁１１の外縁に、上部を開口させた（上部開口１２）円筒状の側壁１３を一体連結している。また、底壁１１及び側壁１３にて取り囲まれる空間（充填空間Ｍ）には、内容物が収容される。
【００１８】
側壁１３の上部外周面には、図示の例ではねじ部１４を設けていて、さらにねじ部１４の上方には、係合部１５を設けている。
【００１９】
中栓２０は、上部開口１２を覆う円板状の天壁２１を備えている。天壁２１の外縁には、同心二重配置となる一対の環状壁を有するとともにこれらの上部同士を連結して設けた係合受け部２２を一体連結している。これにより中栓２０は、係合受け部２２の一対の環状壁間に形成される下向き開放の凹部空間に係合部１５を挿入させて、容器本体１０に保持されている。
【００２０】
本実施形態において天壁２１の裏面壁には、平面視にて三日月形に取り囲んだ環状溝部２３が、天壁２１の端寄りに設けられていて、天壁２１を、環状溝部２３の外側部分（天壁本体２１ａ）と環状溝部２３の内側部分（天壁部分２１ｂ）に区画している。なお、天壁部分２１ｂの外形形状は、他にも長方形状、楕円形状等、種々選択することができる。また、環状溝部２３は、天壁２１の表面壁に設けても、また、裏面壁及び表面壁の両方に設けてもよい。
【００２１】
また、天壁部分２１ｂの表面壁には、図１に示すように、天壁部分２１ｂから起立する柱体の上部に天壁２１に沿って片側に突出させて設けた、Ｌ字状の摘み部２４を設けている。摘み部２４の形状は種々変更が可能であり、柱体の上部に天壁２１に沿って両側に突出させて設けたＴ字状となるものであっても、また、柱体の上部に天壁２１に沿って全周に亘って突出させて設けたものであってもよい。
【００２２】
蓋体３０は、図２（ｂ）に示すように、容器本体１０と略同形状となる円板状の頂壁３１と、頂壁３１の外縁から垂下される円筒状の外周壁３２とを備えていて、外周壁３２の内周面には、ねじ部１４に対応するねじ部３３が設けられている。これにより蓋体３０は、ねじ止めにて容器本体１０に着脱自在に保持される。なお、これらのねじ部１４、３３に代えてアンダーカットを設けて、蓋体３０を保持することもできる。また、中栓２０と蓋体３０との相互間には、空間（収納空間Ｓ）が形成される。
【００２３】
上記のように構成される容器１は、摘み部２４に指を掛けて引き上げることで、天壁部分２１ｂを天壁本体２１ａから引きむしることができる。これにより、図３に示すように、元の天壁部分２１ｂには、充填空間Ｍにつながる内容物の取り出し口２５が形成される。また、引きむしった天壁部分２１ｂは、内容物を掬い取る塗布具として用いることができる。
【００２４】
塗布具となる天壁部分２１ｂは、図３に示すように、天壁本体２１ａ上に載置することができる。これにより、塗布具としての天壁部分２１ｂを収納空間Ｓ内に収納することができ、また、蓋体３０に覆われて埃等が付着するおそれがなくなるので、塗布具を衛生的に保管することができる。
【００２５】
図４は、本発明に従う容器の他の実施形態を示す平面図（蓋体３０は取り外して示す）である。本発明に従う容器は、図４に示すように、上述した環状溝部２３に代えて、相互に分離した天壁本体２１ａと天壁部分２１ｂとを、少なくとも１つの連結片２６にて一体連結させて構成することもできる。
【００２６】
また本発明は、図５に示す、さらに他の実施形態のように、天壁部分２１ｂを、天壁本体２１ａの材料（例えばポリエチレン）とは異なる材料（例えばウレタンゴム等のエラストマー）で形成し、インサート成形にて両者を一体成形させてもよい。この場合、引きむしり後に形成される取り出し口２５の端縁は、段差やエッジ等が生じることなく滑らかに形成されることになるので、内容物を取り出し口２５から掬い取る際に、指等を傷つけてしまうおそれがなくなる。また、天壁部分２１ｂをエラストマーで形成することで、内容物を直接肌に塗布する際に肌あたりがよくなる。
【産業上の利用可能性】
【００２７】
本発明によれば、容器に係る構成部品の金型を利用して塗布具を形成することができ、これにより、塗布具用の金型が不要になるので、塗布具を含めたコストを大きく削減することができる、新たな容器を提供できる。
【符号の説明】
【００２８】
１  容器
１０  容器本体
１２  上部開口
２０  中栓
２１  天壁
２１ａ  天壁本体
２１ｂ  天壁部分（塗布具）
２３  環状溝部
２５  取り出し口
２６  連結片
Ｍ  充填空間
【図１】
2014008261.tif 000003
【図２】
2014008261.tif 000004
【図３】
2014008261.tif 000005
【図４】
2014008261.tif 000006
【図５】
2014008261.tif 000007